(57)【要約】      （修正有）【課題】裁断刃が直接アンビルホイールに切り込むのを避け、アンビルホイールが摩損する確率を下げる紙材の裁断クランプ装置の構造を提供する。【解決手段】紙材の裁断クランプ装置に含まれるのはカッター台１とアンビル台（作業台）２である。該カッター台１に給紙スタンド１１を設け、該給紙スタンド１１の表面に裁断穴１１０を設け、該給紙スタンド１１の下方にカッタースタンド１２を組み合わせる。且つカッタースタンド１２に円形ホイール状の裁断刃１３を枢設することで、裁断刃１３がカッタースタンド１２の上で回転できる。カッタースタンド１２の片側はカッター台１と枢設し、別側に駆動器１４を組み合わせる。アンビル台２にＬ字型の形状に似たアーム２１を設け、該アーム２１の片側はアンビル台２と枢設し、別側は駆動部２２と連設する。該アーム２１にアンビルホイール２３を枢設することで、アンビルホイール２３はアーム２１で回転することができる。【選択図】図１
0003192048.tif 000002
【実用新案登録請求の範囲】
【請求項１】
カッター台及びアンビル台を含み、
該カッター台に紙材を移動し、且つ裁断穴を具有する給紙スタンドを設け、該給紙スタンドの下方に裁断刃を設けたカッタースタンドを組み合わせ、且つカッタースタンドの片側にカッタースタンドの変位を駆動し、裁断刃を連動して給紙スタンドの裁断穴の部分で昇降する駆動器を設け、
該アンビル台はカッター台のカッタースタンドの上方に設置し、給紙スタンドの表面と抵触し、且つ紙材と抵触するアンビルホイールを設け、アンビルホイールは駆動部によって昇降変位するアームに設置することを特徴とする紙材の裁断クランプ装置。
【請求項２】
前記カッター台のカッタースタンドの片側に設ける駆動器は気圧シリンダー或いは油圧シリンダーとすることを特徴とする請求項１記載の紙材の裁断クランプ装置。
【請求項３】
前記アンビル台のアンビルホイールはブラシ付きのホイール或いは柔らかいプラスティック、シリコン或いはゴムで作られるものであり、
該アンビル台のアームの片側は可動的にアンビル台に設置し、別側に駆動部を設け、且つ駆動部は気圧シリンダー或いは油圧シリンダーとすることを特徴とする請求項１記載の紙材の裁断クランプ装置。
【考案の詳細な説明】
【技術分野】
【０００１】
本考案は紙材の裁断クランプ装置の構造に関し、特に裁断刃とアンビルホイールが相対して可動的に接近或いは分離できる裁断クランプ装置であり、カッター台のカッタースタンドが裁断刃を動かし、アンビル台のアームはアンビルホイールと連動することで、裁断刃とアンビルホイールが可動的に接近或いは分離してスムーズに紙材を裁断できる紙材の裁断クランプ装置の構造に関する。
【背景技術】
【０００２】
生活する中で一般的に体積が比較的小さい物品を大型のボックスなどで収納や包装して運ぶ或いは収納する。また、一般的に物品を収納するボックスに用いる材料には、木材を使う場合があるが、木材のコストは高い上に重量が比較的重く、殆どの場合は釘で固定をし、箱詰め作業が困難となるほか、運搬するのも不便である。一方、段ボールの紙材を使ってボックスを作ることもあり、コストが下がるだけでなく、重量が軽く、粘着剤やホットメルト或いはテープで固定することで、ボックスの成型が簡単、作業時間を短縮することができる。段ボール紙材で作られたボックスに物品を包装すると、梱包される物品が衝撃によるダメージや損壊する確率が低くなるメリットがあり、また、運搬或いは収納するのに便利であるため、段ボース紙材の使用量が大幅にアップすることになった。
【０００３】
段ボールの製造は、まず段ボール原紙を貼り合わせ、余熱、段ボール成型、グルア、冷却、ガイカッタ、裁落、切断及びオーバーレイなどの製造過程を経ての連続加工作業である。段ボールの成型ボックスには大小の様々なサイズがあるため、段ボール紙材を裁断する際、各形とサイズのボックスに成型できるよう、必ず様々なサイズに基づき裁断する必要がある。しかし、従来技術の段ボール紙材の裁断に応用している裁断装置の側視断面図は、図４に示す通りである。段ボール紙材の裁断加工の過程において、輸送ユニットＡを使って段ボール紙材Ｂを運び、段ボール紙材ＢをカッターロールＣとアンビルロールブラシＤまで送り、カッターロールＣの上下移動を利用して段ボール紙材Ｂを裁断する。且つアンビルロールブラシＤの毛Ｄ１にカッターロールＣの刃Ｃ１が切り込む際に緩衝作用を成すことで、カッターロールＣの刃Ｃ１内部の比較的厚目のカッターホイールＣ２の部分が段ボール紙材Ｂを裁断する際に切口が大きすぎる、または段ボール紙材Ｂの切断面を摩損するために段ボール紙材Ｂが損壊し、裁断サイズが不正確により不良品になるのを避けることができる。カッターロールＣの下方に位置するアンビルロールブラシＤは大変重要な役目を担うが、段ボール紙材Ｂの裁断作業の過程において、尚も下記のような多くの欠点が存在する。
【０００４】
(１)カッターロールＣが段ボール紙材Ｂを裁断する時には、アンビルロールブラシＤの毛Ｄ１の中にも切り込むために、一部の毛Ｄ１がカッターロールＣの刃Ｃ１によって切り落とされるため、アンビルロールブラシＤの毛Ｄ１が切れて脱落し、使用寿命が短くなり頻繁に交換しなければならない。
(２)段ボール紙材Ｂを裁断する過程において、カッターロールＣのみが変位調整を行い、アンビルロールブラシＤは固定位置に設置しているため、アンビルロールブラシＤとカッターロールＣの距離を調整できず、それによってアンビルロールブラシＤの毛Ｄ１は局部の固定位置のみに集中してカッターロールＣの切断を受けることになっても、アンビルロールブラシＤを丸ごと交換しなければならないため、大変不経済である。
【０００５】
よって現在の段ボール紙材の裁断作業に使用するカッターロールとアンビルロールブラシが損壊し、必ず頻繁に交換する問題と面倒と、アンビルロールブラシが容易くカッターロールの切断と摩損、損壊を受ける問題と欠点を改善する方法を案出する必要があった。
【先行技術文献】
【特許文献】
【０００６】
【特許文献１】実開平５２４３４４号公報
【考案の概要】
【考案が解決しようとする課題】
【０００７】
前記公知構造の欠点を解決するため、本考案は裁断刃とアンビルホイールが相対して変位できるようにすることで、裁断刃が直接アンビルホイールに切り込むのを避け、アンビルホイールが摩損する確率を下げる紙材の裁断クランプ装置の構造を提供することを主な課題とする。
【課題を解決するための手段】
【０００８】
前記課題を解決するために、本考案は紙材の裁断クランプ装置の構造を提供するものである。本考案の第１の機能・作用は、該裁断クランプ装置はカッター台に設置する給紙スタンドで紙材を運び、且つ給紙スタンドに裁断穴を設置し、下方に設置してあるカッタースタンドに裁断刃を組み合わせる。片側に駆動器を設けることで、カッタースタンドにある裁断刃を駆動し、給紙スタンドの裁断穴の部分で昇降変位を行う。カッタースタンドの上方にアンビル台を設置し、アームに枢設するアンビルホイールを利用して裁断刃と位置を合わせて紙材と抵触する。また、アームは片側にある駆動部を介して昇降し、アンビルホイールを連動して裁断刃に接近或いは遠ざけることで、裁断刃がアンビルホイールと相対して可動的に接近或いは分離する目的に達するため、有効的にアンビルホイールの摩損或いは損壊の度合いを軽くし、使用寿命を延ばす。
【０００９】
本考案の第２の機能・作用は、カッター台のカッタースタンドの片側はカッター台と組み合わせ、別側に駆動器を連設する。該駆動器は気圧シリンダー或いは油圧シリンダーなどとすることができる。駆動器を使ってカッタースタンドを駆動して昇降変位を行い、カッタースタンドに枢設する裁断刃を連動し、給紙スタンドの裁断穴の部分で可動的に昇降する。裁断刃は円形のカッターとし、給紙スタンドで運ばれる紙材（段ボール或いは厚紙などの紙材とする）を裁断する。
【００１０】
本考案の第３の機能・作用は、アンビル台のアームはＬ字型に似た形状を呈し、片側はアンビル台に設置し、別側は駆動部を連設する。該駆動部は気圧シリンダー或いは油圧シリンダーなどとすることができ、駆動部を介してアームを駆動して昇降変位を行う。該アームに設置するアンビルホイールはブラシ付きのホイール或いは柔らかいプラスティック、シリコン或いはゴムなどの軟質素材で作られるアンビルホイールとすることができ、紙材が裁断刃に接近するときに緩衝と抵触の役割を果たす。また、アンビルホイールと裁断刃は相対して変位することで、適切な接近距離を調整することができるために、アンビルホイールが裁断刃の過度の切り込みを減少し、アンビルホイールが段ボールの紙材によって摩損する確率を下げると共に、アンビルホイールの使用寿命を延ばすことができる。
【考案の効果】
【００１１】
本考案の裁断刃がアンビルホイールと相対して可動的に接近或いは分離することで、有効的にアンビルホイールの摩損或いは損壊の度合いを軽くし、使用寿命を延ばす。
【図面の簡単な説明】
【００１２】
【図１】本考案の側視図である。
【図２】本考案の別サイドの側視図である。
【図３】本考案の最良実施例の側視図である。
【図４】従来技術の裁断装置の側視断面図である。
【考案を実施するための形態】
【００１３】
以下、本考案の構造と特徴および効果を、最良実施例と図面を参照しながら詳細に説明する。
【実施例】
【００１４】
図１、図２及び図３に示すのは、本考案の側視図、別サイドの側視図及び最良実施例の側視図である。図で分かるように、本考案の紙材の裁断クランプ装置に含まれるのはカッター台１とアンビル台(作業台)２である。
【００１５】
該カッター台１に給紙スタンド１１を設け、該給紙スタンド１１の表面に裁断穴１１０を設け、該給紙スタンド１１の下方にカッタースタンド１２を組み合わせる。且つカッタースタンド１２に円形ホイール状の裁断刃１３を枢設することで、裁断刃１３がカッタースタンド１２の上で回転できる。カッタースタンド１２の片側はカッター台１と枢設し、別側に駆動器１４を組み合わせる。
【００１６】
アンビル台２にＬ字型の形状に似たアーム２１を設け、該アーム２１の片側はアンビル台２と枢設し、別側は駆動部２２と連設する。該アーム２１にアンビルホイール２３を枢設することで、アンビルホイール２３はアーム２１で回転することができる。
【００１７】
前記各部品を組み立てる際、カッター台１の給紙スタンド１１の裁断穴１１０の上方に合わせてアンビル台２を架設し、且つ給紙スタンド１１の下方にあるカッタースタンド１２に裁断刃１３を設置する。裁断穴１１０はアンビル台２のアンビルホイール２３と位置を合わせ、裁断刃１３はカッタースタンド１２の片側にある駆動器１４の駆動を受け、アンビルホイール２３はアーム２１の片側にある駆動部２２の駆動を受けることで、裁断刃１３とアンビルホイール２３が給紙スタンド１１の裁断穴１１０の部分で接近或いは分離する。カッター台１、アンビル台２で本考案の裁断クランプ装置を構成する。
【００１８】
前記カッター台１のカッタースタンド１２の片側に駆動器１４を設置し、アンビル台２のアーム２１の片側に駆動部２２を設置し、それぞれ気圧シリンダー或いは油圧シリンダーなどとする。駆動器１４によってカッタースタンド１２の片側が可動的に昇降変位し、駆動部２２によってアーム２１の片側が可動的に昇降変位する。
【００１９】
アンビル台２のアーム２１に設置するアンビルホイール２３はブラシ付きのホイール或いは柔らかいプラスティック、シリコン或いはゴムなどの軟質素材で作られるアンビルホイールとすることができる。
【００２０】
実際応用して実施する際、カッター台１の給紙スタンド１１を使って紙材３(段ボール或いは厚紙などとする)を運ぶ。紙材３が給紙スタンド１１の裁断穴１１０の前を通過すると、カッター台１のカッタースタンド１２が片側にある駆動器１４の駆動を受け、裁断刃１３を連動して給紙スタンド１１の裁断穴１１０の部分に向かって上昇移動する。同時にカッター台１の上方にあるアンビル台２のアーム２１は片側の駆動部２２の駆動により、アンビルホイール２３と連動して下げて裁断刃１３と適切な距離にまで接近させることで、アンビルホイール２３が紙材の抵触を受け、及び裁断刃１３が適切な深さで裁断することができる(１mm〜５ｍｍ或いはその他の適切に調整した距離とすることができる)。給紙スタンド１１にて運ばれる紙材３は裁断刃１３によって、スムーズに必要なサイズにカットすることができる。
【００２１】
カッタースタンド１２の片側は駆動器１４の駆動を受け、アーム２１の片側は駆動部２２の駆動を受ける。カッタースタンド１２にある裁断刃１３、アーム２１にあるアンビルホイール２３は相対して可動的に接近或いは分離することができ、また、適切に裁断刃１３とアンビルホイール２３間の距離を調整することができる。裁断刃１３が紙材３をカットする作業のとき、相対位置にあるアンビルホイール２３は裁断刃１３にある紙材３と抵触することで、裁断刃１３に抵触して緩衝する作用が生じ、且つアンビルホイール２３のブラシ或いは柔らかい材質の表面が裁断刃１３の集中或いは深く紙材３をカットするために摩損するのを避け、アンビルホイール２３を交換する回数を減少し、延いては有効的にアンビルホイール２３の使用寿命を延ばすことができる。
【００２２】
以上の実施例による本考案の最良実施例の説明であり、本考案の範囲を制限するものではない。
本考案の裁断クランプ装置は、カッター台１の給紙スタンド１１の裁断穴１１０の下方にカッタースタンド１２を組立し、且つカッタースタンド１２に片側が駆動器１４の駆動を受ける裁断刃１３を設ける。カッター台１の上方に相対してアンビル台２を設け、アンビル台２のアーム２１に片側が駆動部２２の駆動を受けるアンビルホイール２３を設ける。それにより裁断刃１３とアンビルホイール２３が相対して昇降、接近或いは分離する目的に達する。裁断刃１３とアンビルホイール２３間の相対距離を調整することができ、裁断刃１３が紙材３を深く切り込むのを避けることで、アンビルホイール２３は良好な緩衝、抵触作用を具有し、アンビルホイール２３の使用寿命を延ばす役割を果たす。本考案の構造に熟知する者が、本考案の範囲内にて行う変更や調整を行っても、本考案の重要な意義は失われず、本考案の範囲に含まれる。
【００２３】
また、本考案の紙材の裁断クランプ装置を実際応用、実施する際に、下記の各メリットを具有する。
【００２４】
(一)  該カッター台１のカッタースタンド１２の片側は駆動器１４の駆動を受け、アンビル台２のアーム２１の片側は駆動部２２の駆動を受ける。カッタースタンド１２にある裁断刃１３、アーム２１にあるアンビルホイール２３は相対して移動できることで、アンビルホイール２３のダメージを減らし、延いてはアンビルホイール２３を交換する回数を減少し、アンビルホイール２３の使用寿命を延長する。
【００２５】
(二)   該カッター台１のカッタースタンド１２の片側は駆動器１４の駆動を受け、アンビル台２のアーム２１の片側は駆動部２２の駆動を受ける。カッタースタンド１２の裁断刃１３とアーム２１のアンビルホイール２３を接近或いは離す間隔距離を調整できることで、裁断刃１３が紙材３を深く切り込むのを防止し、アンビルホイール２３のホイール(ブラシ或いは軟質のホイールなど)の摩損を少なくする。
【００２６】
このように、本考案は主に紙材の裁断クランプ装置のデザインである。カッター台のカッタースタンドの片側に駆動器を設け、アンビル台のアームの片側に駆動部を設置し、裁断刃とアンビルホイールをそれぞれ連動し、相対して移動、間隔距離を調整できることで、裁断刃が紙材に切り込む深さを調整することができ、アンビルホイールの使用寿命を延ばすことが最重要目的である。また、裁断刃で裁断作業を行う際、アンビルホイールを通じて良好な緩衝抵触の効果が生まれる。裁断刃が紙材に切り込む深さを適度に調整できる優勢だけでも、アンビルホイールが摩損する確率が下がる。
以上の実施例による本考案の最良実施例の説明であり、本考案の範囲を制限するものではない。本考案の構想に基づき説明書及び図式内容を各種の変化や修正、応用及び形を変更するなど、同じ効果が生まれる場合は、全て本考案の権利範囲とする。
【符号の説明】
【００２７】
１  カッター台
１１  給紙スタンド
１１０  裁断穴
１２  カッタースタンド
１３  裁断刃
１４  驅動器
２  アンビル台
２１  アーム
２２  驅動部
２３  アンビルホイール
３  紙材
Ａ  輸送ユニット
Ｂ  段ボール紙材
Ｃ  カッターロール
Ｃ１  刃
Ｃ２  カッターホイール
Ｄ  アンビルロールブラシ
Ｄ１  毛
【図１】
0003192048.tif 000003
【図２】
0003192048.tif 000004
【図３】
0003192048.tif 000005
【図４】
0003192048.tif 000006